(57)【要約】      （修正有）【課題】空気流路を改善したヘアドライヤーを提供する。【解決手段】ヘアドライヤーは、筒状のハウジング３と、ハウジング３に収容されたモーターと、ハウジングに収容され、モーターによって回転するファン５と、を備える。ハウジング３の内面は、ファン５によって発生する空気流の吸込口２と吐出口１との間の所定位置から、吐出口１に近づくほど、径が拡大しながら傾斜が大きくなる形状を有する。また、ファン５は、モーターの回転軸４０に結合された軸部５０と、軸部５０の周囲に位置する筒状部５１と、筒状部５１の外側に位置する羽５２と、軸部５０と筒状部５１とをつなぐリブ５３と、を含み、筒状部５１は、回転軸４０の軸方向に貫通している。【選択図】図１
2018171243.tif 000002
【特許請求の範囲】
【請求項１】
筒状のハウジングと、
前記ハウジングに収容されたモーターと、
前記ハウジングに収容され、前記モーターによって回転するファンと、
を備え、
前記ハウジングの内面は、前記ファンによって発生する空気流の吸込口と吐出口との間の所定位置から、前記吐出口に近づくほど、径が拡大しながら傾斜が大きくなる形状を有する、ヘアドライヤー。
【請求項２】
請求項１において、
前記ハウジングの内面と前記ハウジングの外面は、前記吐出口の近傍において、なめらかな曲面で接続されている、ヘアドライヤー。
【請求項３】
請求項１又は請求項２において、
前記ハウジングに収容されてマイナスイオン及びプラスイオンを発生するイオン発生器をさらに備える、ヘアドライヤー。
【請求項４】
筒状のハウジングと、
前記ハウジングに収容されたモーターと、
前記ハウジングに収容され、前記モーターによって回転するファンと、
を備え、
前記ファンは、
前記モーターの回転軸に結合された軸部と、
前記軸部の周囲に位置する筒状部と、
前記筒状部の外側に位置する羽と、
前記軸部と前記筒状部とをつなぐリブと、
を含み、前記筒状部は、前記回転軸の軸方向に貫通している、ヘアドライヤー。
【請求項５】
請求項４において、
前記ハウジングに収容されたモーターカバーをさらに備え、
前記モーターは、前記モーターカバーに収容され、
前記モーターカバーは、前記回転軸の軸方向に貫通する開口を有している、ヘアドライヤー。
【発明の詳細な説明】
【技術分野】
【０００１】
本発明は、髪に温風又は冷風をあてて乾かすためのヘアドライヤーに関し、特に、空気流路を改善したヘアドライヤーに関する。
【背景技術】
【０００２】
髪に温風又は冷風をあてて乾かすためのヘアドライヤーが知られている。美容室において美容師が顧客に対して使用するプロユースのヘアドライヤーとしては、大型のモーターを備えた大風量のヘアドライヤーが普及している。大風量のヘアドライヤーは、短時間で髪を乾かせるという利点を有する。
【０００３】
しかし、一般家庭において、ヘアドライヤーは、自分の髪を乾かすために、自分の肩より高い高さまで自分でヘアドライヤーを持ち上げた状態で使用しなければならないことが多い。大風量のヘアドライヤーは重量が大きくなりがちであるため、そのような使用に適さないことがある。
【先行技術文献】
【特許文献】
【０００４】
【特許文献１】特開昭５６−１１１０号公報
【発明の概要】
【０００５】
本発明の１つの観点に係るヘアドライヤーは、筒状のハウジングと、ハウジングに収容されたモーターと、ハウジングに収容され、モーターによって回転するファンと、を備える。ハウジングの内面は、ファンによって発生する空気流の吸込口と吐出口との間の所定位置から、吐出口に近づくほど、径が拡大しながら傾斜が大きくなる形状を有する。
【０００６】
本発明の１つの観点に係るヘアドライヤーは、筒状のハウジングと、ハウジングに収容されたモーターと、ハウジングに収容され、モーターによって回転するファンと、を備える。ファンは、モーターの回転軸に結合された軸部と、軸部の周囲に位置する筒状部と、筒状部の外側に位置する羽と、軸部と筒状部とをつなぐリブと、を含み、筒状部は、回転軸の軸方向に貫通している。
【図面の簡単な説明】
【０００７】
【図１】本発明の一実施形態に係るヘアドライヤーを側面から見た内部透視図である。
【図２】図１に示されるヘアドライヤーの吐出口及びその周辺を拡大して示す。
【図３】図１に示されるヘアドライヤーを吸込口の後方から見た内部透視図であり、主にファンが示されている。
【図４】図１に示されるヘアドライヤーを吸込口の後方から見た内部透視図であり、モーターカバーが示されている。
【図５】ヘアドライヤーのファンにおけるリブ形状の例を示す。
【図６】ヘアドライヤーのファンにおけるリブ形状の別の例を示す。
【図７】ヘアドライヤーのファンにおけるリブ形状のさらに別の例を示す。
【図８】グリップ部の下端部の内部構造を示す断面図である。
【図９】グリップ部の下端部の内部構造を示す断面図である。
【図１０】電源ケーブルに接続された電源プラグを示す斜視図である。
【図１１】電源ケーブルに接続された電源プラグを示す斜視図である。
【発明を実施するための形態】
【０００８】
以下、本発明の実施形態を、図面を参照しながら詳細に説明する。以下に説明される各実施形態は、本発明の一例を示すものであって、本発明の内容を限定するものではない。また、各実施形態で説明される構成及び動作のすべてが本発明の構成及び動作として必須であるとは限らない。なお、同一の構成要素には同一の参照符号を付して、重複する説明を省略する。
【０００９】
＜１．ドライヤーの概要＞
図１は、本発明の一実施形態に係るヘアドライヤーを側面から見た内部透視図であり、一部を切り欠いた断面を示している。図１において、ヘアドライヤーのグリップ部３３の一部は図示を省略されている。図１に示されるように、ヘアドライヤーは、一端を吐出口１、他端を吸込口２とした筒状のハウジング３を含んでいる。ハウジング３は２つの部品３１及び３２を含む。ヘアドライヤーは、さらに、モーターカバー４に収容された図示しないモーターと、モーターの回転軸４０に固定されたファン５と、イオン発生器６と、ヒーター９と、を備えている。モーターカバー４、ファン５、イオン発生器６、及びヒーター９は、ハウジング３の部品３１内に配置されている。ハウジング３の部品３２は吐出口１の付近に位置している。部品３１と部品３２の間には網１０が配置されている。吸込口２には網２０が配置されている。
【００１０】
モーターカバー４に収容されたモーターは、図示しない電源に接続されて、ファン５を一定方向に回転させる。これによりファン５は吐出口１に向かって空気流を発生させる。ヒータープレート９０に支持されたヒーター９は、電源に接続されて熱を発生し、その熱により空気流を加熱する。モーターとヒーター９との両方が電源に接続されることにより、吐出口１から温風が吐出される。モーターが電源に接続され、ヒーター９は電源に接続されない場合に、吐出口１から冷風が吐出される。
【００１１】
イオン発生器６も、電源に接続され、極性の異なる高電圧をそれぞれイオン電極の尖端部６１及び尖端部６２に供給する。尖端部６１及び尖端部６２においてはそれぞれ放電が発生し、それぞれ空気中の水分子との相互作用によりマイナスイオンとプラスイオンが生成される。マイナスイオンとプラスイオンは、空気流により吐出口１から放出される。
【００１２】
上述のモーター、イオン発生器６、及びヒーター９は、グリップ部３３の内部の空洞を貫通する図示しない電源ケーブルにより、図示しない電源に接続される。グリップ部３３の下端部には、球状部３４が嵌め込まれている。球状部３４は、グリップ部３３の内部に形成されている複数の襞３６に囲まれている。球状部３４は、複数の襞３６の内側で回転可能な状態で、複数の襞３６によって支持されている。
【００１３】
球状部３４は貫通孔を有している。球状部３４の貫通孔の内部に、弾性シース３５の一端が固定されている。図示しない電源ケーブルは、弾性シース３５の内側を貫通し、さらに、球状部３４の内側を貫通して、グリップ部３３の内部に導かれている。弾性シース３５の内径よりも、球状部３４の内径の方が大きくなっており、電源ケーブルは、弾性シース３５の内面に密着しているが、球状部３４の内面には密着しないようになっている。そして、球状部３４の貫通孔の内部における電源ケーブルの相対位置が移動できるようになっている。
【００１４】
＜２．吐出口の形状＞
図２は、図１に示されるヘアドライヤーの吐出口及びその周辺を拡大して示す。ヘアドライヤーのハウジング３は、吐出口１における流路抵抗を低減するため、図１及び図２に示されるようなラッパ状の形を有している。
【００１５】
図２に示される吐出口１の付近においては、位置１１におけるハウジング３の内面の径よりも、より吐出口１に近い位置１２におけるハウジング３の内面の径の方が大きい。さらに、位置１２におけるハウジング３の内面の径よりも、より吐出口１に近い位置１３におけるハウジング３の内面の径の方が大きい。各位置におけるハウジング３の内面の径は、図２において破線で示されている。
また、位置１１におけるハウジング３の内面の傾斜よりも、位置１２におけるハウジング３の内面の傾斜の方が大きい。さらに、位置１２におけるハウジング３の内面の傾斜よりも、位置１３におけるハウジング３の内面の傾斜の方が大きい。ここで、ハウジング３の内面の傾斜とは、空気流の中心軸Ｘに対するハウジング３の内面の接線１１ｔ、１２ｔ、１３ｔの傾斜をいう。ハウジング３の内面の接線１１ｔ、１２ｔ、１３ｔとは、空気流の中心軸Ｘを中心とした回転方向成分を含まない接線をいう。
このように、ハウジング３の内面は、位置１１から、吐出口１に近づくほど、径が拡大しながら傾斜が大きくなる形状を有している。
【００１６】
さらに、吐出口１の近傍において、ハウジング３の内面の位置１１、１２、１３とハウジング３の外面１４とは、なめらかな曲面で接続されている。
また、吐出口１の付近において、ハウジング３は、位置１１における肉厚よりも、位置１２における肉厚の方が大きい。すなわち、吐出口１に近い位置の肉厚が大きく形成されている。
【００１７】
図１を再び参照し、ヘアドライヤーにおいてモーターを作動させると、ハウジング３の内部から吐出される空気流Ａと、空気流Ａに引き込まれることによってハウジング３の外部から流れ込む空気流Ｂとが生成される。従来のヘアドライヤーにおいては、空気流Ａと空気流Ｂとの合流地点において渦状の乱流が発生し、空気流Ａに対する送風抵抗となることがあった。これにより、従来のヘアドライヤーにおいては、空気流Ａが減殺され、ヘアドライヤーから髪に到達する風の量が不十分となっていた。
【００１８】
本実施形態においては、吐出口１の付近の形状を上述のように構成した。これにより、空気流Ａを減殺するような乱流が抑制され、効率的に風を送り出せることがわかった。
また、本実施形態においては、吐出口１の付近における乱流が抑制されるので、ハウジング３の内部あるいは吐出口１の付近においてマイナスイオン及びプラスイオンを発生させた場合でも、マイナスイオンとプラスイオンとが中和する可能性が低減される。これにより、マイナスイオン及びプラスイオンの両方を効率的に髪に到達させ、髪の状態を調えることができる。
【００１９】
＜３．ファンの形状＞
図３及び図４は、図１に示されるヘアドライヤーを吸込口の後方から見た内部透視図である。図３においては、主にファン５が示されている。図４においては、モーターカバー４が示されている。図３及び図４において、モーターカバー４よりも吐出口１寄りに配置された要素の図示は省略されている。
【００２０】
図１及び図３に示されるように、ファン５は、モーターの回転軸４０に結合された軸部５０と、軸部５０の周囲に位置する筒状部５１と、筒状部５１の外側に位置する羽５２と、軸部５０と筒状部５１とをつなぐリブ５３と、を含んでいる。筒状部５１はリブ５３を介して軸部５０に固定されている。羽５２は筒状部５１に固定されている。筒状部５１は、回転軸４０の軸方向に貫通した形状を有している。
【００２１】
モーターの回転軸４０が回転すると、ファン５が回転し、羽５２によって空気が押されて空気流が発生する。空気流は、主に、筒状部５１の外側を流れると考えられる。従来のヘアドライヤーにおいては、ファンの羽の回転軌跡よりも内側の部分は塞がれていて空気流が通過できないようになっていたが、本実施形態においては、筒状部５１の外側を空気流が通過するだけでなく、羽５２の回転軌跡よりも内側、すなわち、筒状部５１の内側も空気流が通過できるようになっている。
【００２２】
また、図４に示されるように、本実施形態において、モーターカバー４は、回転軸４０の軸方向に貫通する開口４１を有している。これにより、筒状部５１の内側を通過した空気流の一部が開口４１に流れ込むことができる。また、モーターカバー４は、開口４１よりも吐出口１寄りの位置に別の開口４２（図１参照）を有している。これにより、開口４１に流れ込んだ空気流が開口４２から流れ出ることができる。
【００２３】
本実施形態においては、ファン５とモーターカバー４の形状を上述のように構成した。これにより、ファン５の周辺における流路抵抗が低減され、効率的に風を送り出せることがわかった。
また、図１及び図２を参照しながら説明した吐出口１の付近の形状と、図１、図３及び図４を参照しながら説明したファン５及びモーターカバー４の形状と、を併せて採用することにより、送風効率が向上し、大風量のヘアドライヤーを軽量の構成で実現できることがわかった。
【００２４】
図５は、ヘアドライヤーのファンにおけるリブ形状の例を示す。軸部と筒状部とをつなぐリブは、図３に示される形状に限定されない。例えば、図５に示されるように、リブ５３ａは均一な厚さを有していなくてもよい。リブ５３ａは、軸部５０ａ付近から筒状部５１付近に向けて次第に厚さが小さくなるような形状でもよい。また、軸部５０ａとリブ５３ａとの間に明確な境目がなくてもよい。
【００２５】
図６は、ヘアドライヤーのファンにおけるリブ形状の別の例を示す。図６に示されるように、リブ５３ｂは３箇所で軸部５０と筒状部５１とをつなぐものでもよい。３箇所又は４箇所に限らず、別の数でもよい。
【００２６】
図７は、ヘアドライヤーのファンにおけるリブ形状のさらに別の例を示す。図７に示されるように、リブ５３ｃは途中で枝分かれしていてもよい。
【００２７】
＜４．電源コードの取り付け構造＞
図８及び図９は、グリップ部の下端部の内部構造を示す断面図である。図８及び図９は、図１に示されるグリップ部３３の下端部と同じ部分を示しているが、球状部３４がそれぞれ異なる角度に回転した様子を示す。
【００２８】
ヘアドライヤーを使用するときは、グリップ部３３を手で握り、髪に対して動かしながら使用される。これにより、電源ケーブルは屈曲を繰り返すので、電源ケーブルのグリップ部３３に対する結合部には、負担がかかりやすい。また、ヘアドライヤーの使用後には電源ケーブルをヘアドライヤー本体に巻きつけた状態でヘアドライヤーを収納することが多いため、この状態でも電源ケーブルに負担がかかりやすい。
【００２９】
そこで、図１、図８、及び図９に示されるように、グリップ部３３の下端部で球状部３４を回転可能に支持することにより、グリップ部３３に対する結合部の一点に電源ケーブルの屈曲負荷が集中することを抑制できる。すなわち、電源ケーブルの屈曲負荷を分散させることができる。
【００３０】
さらに、グリップ部３３の内部では、電源ケーブルは、球状部３４の内面に密着しておらず、球状部３４に対する電源ケーブルの相対位置が移動できるようになっている。従って、グリップ部３３の内部では、球状部３４の回転に対する電源ケーブルの屈曲が緩和される。
【００３１】
さらに、グリップ部３３の外部では、電源ケーブルは、球状部３４に固定された弾性シース３５に被覆されている。従って、グリップ部３３の外部では、電源ケーブルの屈曲が球状部３４の回転によって緩和されるだけでなく、電源ケーブルの屈曲が弾性シース３５の弾性によっても緩和される。
以上により、電源ケーブルの劣化や断線を抑制することができる。
【００３２】
＜５．電源プラグの構造＞
図１０及び図１１は、電源ケーブルに接続された電源プラグを示す斜視図である。上述の電源ケーブルは、図１０及び図１１に示される電源プラグにより商用電源のコンセント等に接続される。
【００３３】
電源プラグは、プラグ本体７１と、弾性シース７２と、複数の電極ブレード７３と、を有している。プラグ本体７１の一端側に弾性シース７２が固定されている。プラグ本体７１の他の一端はストッパー面７５となっており、このストッパー面７５から複数の電極ブレード７３が突出している。弾性シース７２の内側を電源ケーブルが貫通しており、この電源ケーブルは、プラグ本体７１の内部において、複数の電極ブレード７３に電気的に接続されている。
【００３４】
複数の電極ブレード７３にはそれぞれ貫通孔７３ａが形成されている。図示しないコンセントの内部には、電極ブレード７３がコンセントから不意に抜けないように、貫通孔７３ａに入り込む抜け止め機構が備えられている。しかしながら、このような抜け止め機構が強すぎる場合など、電極ブレード７３をコンセントから容易に引き抜けないことがある。電極ブレード７３をコンセントから引き抜こうとして電源コードをつかんで引っ張るような場合には、電源コードに負担がかかってしまう。
【００３５】
そこで、本実施形態の電源プラグは、離脱具７４を備えている。
離脱具７４は、押圧部７６と、作用部７７とを有している。押圧部７６と作用部７７とは全体でほぼＬ字型となるようにほぼ垂直に結合されている。離脱具７４は、押圧部７６と作用部７７との結合部分において、プラグ本体７１に設けられた支軸７８に支持されている。離脱具７４は、支軸７８を中心に、図１０に示される位置と図１１に示される位置との間で回転可能となっている。支軸７８の周りには図示しないバネが設けられており、離脱具７４は図１０に示される位置に向けて付勢されている。図１０に示される位置において、作用部７７は、ストッパー面７５に設けられたくぼみ７９の内部に収容されている。
【００３６】
押圧部７６をプラグ本体７１に向けて押圧すると、図１１に示されるように、作用部７７がくぼみ７９から押し出される。これにより、ストッパー面７５がコンセントから離間して、電極ブレード７３をコンセントから容易に引き抜くことができる。
【符号の説明】
【００３７】
１…吐出口、２…吸込口、３…ハウジング、４…モーターカバー、５…ファン、６…イオン発生器、９…ヒーター、１０…網、１１ｔ、１２ｔ、１３ｔ…接線、１４…外面、２０…網、３３…グリップ部、３４…球状部、３５…弾性シース、３６…襞、４０…回転軸、４１、４２…開口、５０、５０ａ…軸部、５１…筒状部、５２…羽、５３、５３ａ、５３ｂ、５３ｃ…リブ、６１、６２…尖端部、７１…プラグ本体、７２…弾性シース、７３…電極ブレード、７３ａ…貫通孔、７４…離脱具、７５…ストッパー面、７６…押圧部、７７…作用部、７８…支軸、９０…ヒータープレート、Ａ、Ｂ…空気流、Ｘ…空気流の中心軸
【図１】
2018171243.tif 000003
【図２】
2018171243.tif 000004
【図３】
2018171243.tif 000005
【図４】
2018171243.tif 000006
【図５】
2018171243.tif 000007
【図６】
2018171243.tif 000008
【図７】
2018171243.tif 000009
【図８】
2018171243.tif 000010
【図９】
2018171243.tif 000011
【図１０】
2018171243.tif 000012
【図１１】
2018171243.tif 000013